(57)【要約】【課題】電圧調整ステップ数が増えても、電圧調整精度の悪化しない電圧調整回路を提供することを目的とする。【解決手段】抵抗値２Ｒの抵抗とトリミング用素子とから構成される直列体と、２つの前記直列体が直列に直接接続されたＮ個（Ｎは２以上の整数）のトリミング部と、前記Ｎ個の各トリミング部の一端に接続され、第１の基準電圧が供給される第１の基準電圧供給ラインと、前記Ｎ個の各トリミング部の他端に接続され、第１の基準電圧よりも低い第２の基準電圧が供給される第２の基準電圧供給ラインと、隣接する前記トリミング部を構成する２つの直列体の接続点間に接続される抵抗値Ｒの抵抗とを備えることを特徴とする。【選択図】図１
2009004564.tif 000002
【特許請求の範囲】
【請求項１】
抵抗値２Ｒの抵抗とトリミング用素子とから構成される直列体と、
２つの前記直列体が直列に直接接続されたＮ個（Ｎは２以上の整数）のトリミング部と、
前記Ｎ個の各トリミング部の一端に接続され、第１の基準電圧が供給される第１の基準電圧供給ラインと、
前記Ｎ個の各トリミング部の他端に接続され、第１の基準電圧よりも低い第２の基準電圧が供給される第２の基準電圧供給ラインと、
隣接する前記トリミング部を構成する２つの直列体の接続点間に接続される抵抗値Ｒの抵抗とを備えた電圧調整回路。
【請求項２】
更に、電圧調整回路の出力電圧の調整精度と出力電圧のオフセットとを設定する出力設定部を設けた請求項１記載の電圧調整回路。
【請求項３】
前記出力設定部を構成する抵抗と、前記抵抗値Ｒの抵抗とにトリミング用素子を直列に接続したことを特徴とする請求項１又２記載の電圧調整回路。
【請求項４】
前記トリミング用素子の抵抗値と、各トリミング用素子と直列に接続された抵抗の抵抗値との比率が全て同一であることを特徴とする請求項１乃至３のいずれか一項に記載の電圧調整回路。
【請求項５】
請求項１乃至４のいずれか一項に記載の電圧調整回路を備えた定電圧生成回路。
【発明の詳細な説明】
【技術分野】
【０００１】
本発明は、電圧調整回路に関し、特にトリミング用素子を含む電圧調整回路に関する。
【背景技術】
【０００２】
従来から、抵抗とトリミングヒューズとから構成される電圧調整回路を備えた定電圧生成回路が知られている。この定電圧生成回路は、例えば、半導体集積回路内の回路動作の基準となる、内部基準電圧生成回路などに使用される。半導体集積回路内の内部基準電圧は、回路動作の基準となる重要な電圧であるから、内部回路を安定して動作させるために、その電圧値は所望の値に精度良く調整される必要がある。そこで、抵抗とトリミングヒューズとから構成される電圧調整回路を用い、トリミング（トリミングヒューズの切断）を行うことで、内部基準電圧を所望の値に精度良く調整する回路が提案されている（例えば、特許文献１、特許文献２参照）。
【０００３】
図８は、抵抗とトリミングヒューズとから構成される電圧調整回路を備えた従来の定電圧生成回路の回路構成例を示す図である。図８の定電圧生成回路は、基準電圧（Ｖｒｅｆｉ）６１、演算増幅器５０、電圧調整回路４００から構成されている。Ｖｒｅｆｏは基準電圧出力である。また、電圧調整回路４００は、抵抗Ｒ１、Ｒ２、Ｒ３、Ｒ４、Ｒ５、Ｒ６、Ｒ７とトリミングヒューズＦ１、Ｆ２、Ｆ３、Ｆ４、Ｆ５から構成されており、Ｒ１とＦ１の並列回路、Ｒ２とＦ２の並列回路、Ｒ３とＦ３の並列回路、Ｒ４とＦ４の並列回路、Ｒ５とＦ５の並列回路が、それぞれ直列に接続されている。Ｒ６、Ｒ７はＶｒｅｆｏの調整範囲を設定するための抵抗である。また、抵抗Ｒ１、Ｒ２、Ｒ３、Ｒ４、Ｒ５の各抵抗の抵抗値は
１６×Ｒ１＝８×Ｒ２＝４×Ｒ３＝２×Ｒ４＝Ｒ５
の関係に設定されている。また、基準電圧６１は例えば、１．２ｖである。
【０００４】
図８の定電圧生成回路において、トリミングヒューズＦ１、Ｆ２、Ｆ３、Ｆ４、Ｆ５のいずれか、又は全てを切断することにより、基準電圧出力Ｖｒｅｆｏの値を調整することができる。例えば、トリミングヒューズＦ１、Ｆ２、Ｆ３、Ｆ４、Ｆ５がいずれも切断されていない場合には、抵抗Ｒ６、Ｒ７により演算増幅器５０の増幅率が決まり、
Ｖｒｅｆｏ＝１．５７〔Ｖ〕
となる。
【０００５】
また、トリミングヒューズＦ１、Ｆ２、Ｆ３、Ｆ４、Ｆ５の全てが切断されている場合には、抵抗Ｒ１、Ｒ２、Ｒ３、Ｒ４、Ｒ５、Ｒ６、Ｒ７により演算増幅器５０の増幅率が決まり、
Ｖｒｅｆｏ＝２．８８〔Ｖ〕
となる。
【０００６】
また、トリミングヒューズＦ１、Ｆ２、Ｆ３、Ｆ４、Ｆ５のいずれかが切断されている場合には、
Ｖｒｅｆｏ＝１．５７〜２．８８〔Ｖ〕
の範囲内の電圧に調整することができる。また、Ｖｒｅｆｏの調整範囲はＲ６、Ｒ７の抵抗値を変えることによって可変することができる。
【０００７】
尚、図８に示す、電圧調整回路４００の構成の場合には、５ビット、すなわち、２の５乗ステップ（３２ステップ）でのＶｒｅｆｏの調整が可能であるが、抵抗とトリミングヒューズの並列回路をさらに直列に追加することにより、いくらでも調整ステップ数を増やすことができる。
【０００８】
以上、図８においては、抵抗とトリミングヒューズの並列回路を複数個直列に接続する場合の例を示したが、図９に示す電圧調整回路４０１のように、抵抗とトリミングヒューズの直列回路を抵抗を介して複数個並列に接続する方法も考えられ、図８に示す電圧調整回路４００は図９に示す電圧調整回路４０１に置き換えることができる。電圧調整回路４０１を使用した場合も電圧調整回路４００を使用した場合と同様にトリミングによるＶｒｅｆｏの調整が可能である。また、抵抗とトリミングヒューズの直列回路を並列に追加することにより、電圧調整回路４００の場合と同様にいくらでも調整ステップ数を増やすことができる。
【特許文献１】特開２０００−１５０７９９号公報
【特許文献２】特開２００１−７７３１０号公報
【発明の開示】
【発明が解決しようとする課題】
【０００９】
しかるに、従来から、抵抗とトリミングヒューズとから構成される電圧調整回路を用いて、半導体集積回路内の内部基準電圧を精度良く調整する回路が提案されていたが、調整精度を上げるために調整ステップ数を増やそうとすると、比較的抵抗値の低い抵抗から比較的抵抗値の高い抵抗を直列又は並列に接続する必要があった。ところで、半導体集積回路では、高い抵抗値を得ようとすると抵抗の所要面積が非常に大きくなるため、一般に抵抗値の高い抵抗の使用は好まれない。従って、調整ステップ数を増やす場合には、抵抗値の高い抵抗の使用を避け、使用する抵抗の抵抗値を全体に低い方にシフトする必要がある。しかし、使用する抵抗の抵抗値が低くなるとトリミングヒューズの抵抗値との関係で電圧設定精度が悪化するという問題があった。すなわち、トリミングヒューズは抵抗値がゼロオームであることが理想であるが、実際には、数百オーム程度の抵抗値をもっているため、電圧調整範囲を広くするために抵抗値の低い抵抗を使用すると、使用する抵抗の抵抗値とトリミングヒューズの抵抗値の差が小さくなり、それが誤差要因となって、電圧調整精度が悪化するという問題があった。例えば、図８ではＲ１（２．９５キロオーム）にトリミングヒューズが並列に接続されているが、仮にトリミングヒューズの抵抗値が２００オームであるとすれば、誤差は１０％弱という大きな値になる。また、誤差は調整ステップ数を増やし、使用する抵抗の抵抗値を全体に低い方にシフトするほどさらに大きくなる。
【００１０】
また、各抵抗値の誤差が一定であるとすると（例えば、±１０％であるとすると）、例えば、図８のＲ１（２．９５キロオーム）の最大の誤差は約３００オーム、Ｒ５（４７．２キロオーム）の最大の誤差は約４．７キロオームとなる。このように、Ｒ５の誤差（約４．７キロオーム）の方が、Ｒ１の抵抗値（２．９５キロオーム）よりも大きくなる可能性があり、この傾向は調整ステップ数を増やせば増やすほど大きくなる。すなわち、調整ステップ数を増やすために、比較的抵抗値の低い抵抗から比較的抵抗値の高い抵抗を多段に直列又は並列にして使用すると、抵抗値自体の誤差により、電圧調整精度が悪化するという問題があった。
【００１１】
本発明は、上記に鑑みてなされたもので、電圧調整ステップ数が増えても、電圧調整精度を悪化させない電圧調整回路を提供することを目的とする。
【課題を解決するための手段】
【００１２】
上記目的を達成するため、第１の発明は、抵抗値２Ｒの抵抗（ＲＸ１〜ＲＸＮ、ＲＹ１〜ＲＹＮ）とトリミング用素子（ＦＸ１〜ＦＸＮ、ＦＹ１〜ＦＹＮ）とから構成される直列体（Ｘ（１）〜Ｘ（Ｎ）、Ｙ（１）〜Ｙ（Ｎ））と、２つの前記直列体（Ｘ（１）〜Ｘ（Ｎ）、Ｙ（１）〜Ｙ（Ｎ））が直列に直接接続されたＮ個（Ｎは２以上の整数）のトリミング部（１００（１）〜１００（Ｎ））と、前記Ｎ個の各トリミング部（１００（１）〜１００（Ｎ））の一端に接続され、第１の基準電圧が供給される第１の基準電圧供給ライン（３０）と、前記Ｎ個の各トリミング部（１００（１）〜１００（Ｎ））の他端に接続され、第１の基準電圧よりも低い第２の基準電圧が供給される第２の基準電圧供給ライン（４０）と、隣接する前記トリミング部（１００（１）〜１００（Ｎ））を構成する２つの直列体（Ｘ（１）〜Ｘ（Ｎ）、Ｙ（１）〜Ｙ（Ｎ））の接続点間に接続される抵抗値Ｒの抵抗（Ｒ５０（１）〜Ｒ５０（Ｎ−１））とを備えることを特徴とする。
【００１３】
第２の発明は、第１の発明に係る電圧調整回路（５００）において、更に、電圧調整回路（５００）の出力電圧の調整精度と出力電圧のオフセットとを設定する出力設定部（８０）を設けたことを特徴とする。
【００１４】
第３の発明は、第１又は第２の発明に係る電圧調整回路（５００、６００）において、前記出力設定部（８０）を構成する抵抗（Ｒ８０〜Ｒ８２）と、前記抵抗値Ｒの抵抗（Ｒ５０（１）〜Ｒ５０（Ｎ−１））とその他の抵抗（Ｒ９０、Ｒ９１）とにトリミング用素子（Ｆ８０〜Ｆ８２、Ｆ５０（１）〜Ｆ５０（Ｎ−１）、Ｆ９０、Ｆ９１）を直列に接続したことを特徴とする。
【００１５】
第４の発明は、第１乃至第３の何れか一に記載の発明に係る電圧調整回路（５００、６００、７００）において、前記トリミング用素子（Ｆ５０（１）〜Ｆ５０（Ｎ−１）、Ｆ８０〜Ｆ８２、Ｆ９０、Ｆ９１、ＦＸ１〜ＦＸＮ、ＦＹ１〜ＦＹＮ、）の抵抗値と、各トリミング用素子と直列に接続された抵抗（Ｒ５０（１）〜Ｒ５０（Ｎ−１）、Ｒ８０〜Ｒ８２、Ｒ９０、Ｒ９１、ＲＸ１〜ＲＸＮ、ＲＹ１〜ＲＹＮ）の抵抗値との比率が全て同一であることを特徴とする。
【００１６】
第５の発明は、第１乃至第４の何れか一に記載の発明に係る電圧調整回路（５００、６００、７００）を備えた定電圧生成回路であることを特徴とする。
【００１７】
尚、上記括弧内の参照符号は、理解を容易にするために付したものであり、一例にすぎず、図示の態様に限定されるものではない。
【発明の効果】
【００１８】
本発明によれば、電圧調整ステップ数が増えても、電圧調整精度を悪化させない電圧調整回路を提供することできる。
【発明を実施するための最良の形態】
【００１９】
以下、図面を参照して、本発明を実施するための最良の形態の説明を行う。
【００２０】
〈実施例１〉
図１は本発明の実施例１の電圧調整回路５００の回路構成例を示す図である。
【００２１】
図１に示す電圧調整回路５００の入力端子Ｖｉｎ１には基準電圧（Ｖｉｎ）６０が接続されており、入力端子Ｖｉｎ２にはＧＮＤ７０が接続されている。また、Ｖｏｕｔは出力端子である。
【００２２】
電圧調整回路５００はトリミング部１００（１）乃至トリミング部１００（Ｎ）、抵抗Ｒ５０（１）乃至Ｒ５０（Ｎ−１）、抵抗Ｒ９０、Ｒ９１、第１の基準電圧が供給される第１の基準電圧供給ライン３０、第１の基準電圧よりも低い第２の基準電圧が供給される第２の基準電圧供給ライン４０とから構成されている。
【００２３】
トリミング部１００（Ｎ）は直列体Ｘ（Ｎ）と直列体Ｙ（Ｎ）とが直列に直接接続された構成になっており、Ｎ個の各トリミング部の一端は第１の基準電圧供給ライン３０に接続され、他端は第２の基準電圧供給ライン４０に接続されている。また、直列体Ｘ（Ｎ）は抵抗値が２Ｒの抵抗ＲＸＮとトリミング用素子ＦＸＮが直列に接続された構成になっており、直列体Ｙ（Ｎ）は抵抗値が２Ｒの抵抗ＲＹＮとトリミング用素子ＦＹＮが直列に接続された構成になっている。また、隣接するトリミング部を構成する直列体Ｘと直列体Ｙとの接続点間には、抵抗値Ｒの抵抗Ｒ５０（１）乃至Ｒ５０（Ｎ−１）が接続されている。ここで、Ｎは２以上の整数である。尚、トリミング用素子とは、ポリシリコンやアルミニウム等を主成分として形成され、例えば、レーザー光の照射により切断することが可能な素子である。
【００２４】
トリミング部１００（Ｎ）中の直列体Ｘ（Ｎ）を構成するトリミング用素子ＦＸＮとトリミング部１００（Ｎ）中の直列体Ｙ（Ｎ）を構成するトリミング用素子ＦＹＮは、直列体Ｘ（Ｎ）と直列体Ｙ（Ｎ）の接続点に接続されている抵抗値２Ｒの抵抗ＲＸＮを第１の基準電圧供給ライン３０に接続するか、抵抗値２Ｒの抵抗ＲＹＮを第２の基準電圧供給ライン４０に接続するかを選択するために設けられている。トリミング（トリミング用素子の切断）による電圧調整を行う場合には、トリミング用素子ＦＸＮ又はトリミング用素子ＦＹＮのいずれか一方のトリミング用素子を切断することにより、電圧調整回路の出力端子Ｖｏｕｔに出力される電圧を調整することが可能である。尚、トリミング用素子ＦＸＮ又はトリミング用素子ＦＹＮはいかなる場合もどちらか一方を必ず切断しなければならず、トリミング用素子ＦＸＮ及びトリミング用素子ＦＹＮの両方を切断する、又はトリミング用素子ＦＸＮ及びトリミング用素子ＦＹＮのいずれも切断しないという場合を選択することはできない。但し、トリミングが開始される前は、いずれのトリミング用素子も切断されてなく、出力端子ＶｏｕｔにはＶｏｕｔ＝Ｖｉｎ／２の電圧が出力されている。
【００２５】
出力端子Ｖｏｕｔに出力される電圧について説明する。電圧調整回路５００において、トリミング部１００（１）中の直列体Ｘ（１）を構成するトリミング用素子ＦＸ１乃至トリミング部１００（Ｎ）中の直列体Ｘ（Ｎ）を構成するトリミング用素子ＦＸＮが全て切断されている場合には、抵抗Ｒ９０の一端のみに第１の基準電圧供給ライン３０を通して基準電圧（Ｖｉｎ）６０が供給され、Ｖｏｕｔには１／２Ｎ＋１×Ｖｉｎが出力される。次に、トリミング部１００（１）中の直列体Ｘ（１）を構成するトリミング用素子ＦＸ１乃至トリミング部１００（Ｎ−１）中の直列体Ｘ（Ｎ−１）を構成するトリミング用素子ＦＸＮ―１とトリミング部１００（Ｎ）中の直列体Ｙ（Ｎ）を構成するトリミング用素子ＦＹＮが切断されている場合には、抵抗Ｒ９０の一端とトリミング部１００（Ｎ）中の直列体Ｘ（Ｎ）の一端に第１の基準電圧供給ライン３０を通して基準電圧（Ｖｉｎ）６０が供給され、Ｖｏｕｔには（１／２Ｎ＋１＋１／２Ｎ）×Ｖｉｎが出力される。次に、トリミング部１００（１）中の直列体Ｘ（１）を構成するトリミング用素子ＦＸ１乃至トリミング部１００（Ｎ−２）中の直列体Ｘ（Ｎ−２）を構成するＦＸＮ―２及びトリミング部１００（Ｎ）中の直列体Ｘ（Ｎ）を構成するトリミング用素子ＦＸＮが切断され、トリミング部１００（Ｎ−１）中の直列体Ｙ（Ｎ−１）を構成するトリミング用素子ＦＹＮ−１が切断されている場合には、抵抗Ｒ９０の一端とトリミング部１００（Ｎ−１）中の直列体Ｘ（Ｎ−１）の一端に第１の基準電圧供給ライン３０を通して基準電圧（Ｖｉｎ）６０が供給され、Ｖｏｕｔには（１／２Ｎ＋１＋１／２Ｎ−１）×Ｖｉｎが出力される。他のトリミング部についても同様に考えられる。ここで、各トリミング部の直列体Ｘまたは直列体Ｙ中のいずれのトリミング用素子を切断するか及びいくつのトリミング用素子を切断するかは任意に選択できることから、最終的な出力電圧Ｖｏｕｔは、上記の足し合わせとなり、下記の式で表される。
【００２６】
Ｖｏｕｔ＝
（１／２Ｎ＋１＋ｂＮ／２Ｎ＋ｂＮ−１／２Ｎ−１・・・＋ｂ２／２２＋ｂ１／２１）×Ｖｉｎ
尚、ｂ１乃至ｂＮは０又は１のいずれかの値を表しており、直列体Ｙ（Ｎ）中のトリミング用素子ＦＮＹが切断された場合に「１」、直列体Ｘ（Ｎ）中のトリミング用素子ＦＸＮが切断された場合に「０」である。ここで、Ｎは２以上の整数である。
【００２７】
尚、抵抗Ｒ９０、Ｒ９１は抵抗値が４Ｒの抵抗であるが、入力端子Ｖｉｎ１に最も近いトリミング部を構成する直列体Ｘ（Ｎ）と直列体Ｙ（Ｎ）との接続点側から見た入力抵抗が２Ｒであれば他の構成でもよく、例えば、抵抗Ｒ９０、Ｒ９１を削除し、入力端子Ｖｉｎ１に最も近いトリミング部を構成する直列体Ｘ（Ｎ）と直列体Ｙ（Ｎ）との接続点から第２の基準電圧供給ライン４０に抵抗値２Ｒの抵抗を接続してもよい（但し、この場合には、出力電圧Ｖｏｕｔを表す上記式の中の１／２Ｎ＋１の項はなくなる）。
【００２８】
このように、抵抗値Ｒの抵抗と、抵抗値２Ｒの抵抗を組み合わせることにより、容易に電圧調整ステップ数を増やすことができる。また、電圧調整ステップ数が増えても図８に示した従来例のように、比較的低い抵抗値から比較的高い抵抗値まで幅広い抵抗値を使用する必要がない。従って、例えば、Ｒ＝２０キロオームを選定すれば、トリミング用素子の抵抗値が仮に２００オームであったとしても、誤差は１％であり、トリミング用素子の抵抗値が出力電圧Ｖｏｕｔの電圧調整精度に与える影響を従来例よりも小さくできる。
【００２９】
以上のように、実施例１によれば、電圧調整ステップ数が増えても電圧調整精度を悪化させない電圧調整回路を提供することできる。
【００３０】
〈実施例２〉
図２は本発明の実施例２の電圧調整回路６００の回路構成例を示す図である。同図中、図１と同一部品については、同一符号を付し、その説明は省略する。
【００３１】
図１に示す電圧調整回路５００と異なる部分は、出力調整部８０の有無である。電圧調整回路５００には、出力調整部８０がないが、電圧調整回路６００は、Ｖｏｕｔの手前に出力調整部８０を有している。出力調整部８０は、抵抗値がＲｂである抵抗Ｒ８０、Ｒ８１と抵抗値がＲａである抵抗Ｒ８２から構成されている。出力設定部８０の役割は、出力電圧の調整精度と出力電圧のオフセットとを設定することである。
【００３２】
電圧調整回路６００の出力Ｖｏｕｔはα＝（１／２Ｎ＋１＋ｂＮ／２Ｎ＋ｂＮ−１／２Ｎ−１・・・＋ｂ２／２２＋ｂ１／２１）とすると、下記の式で表すことができる。
【００３３】
Ｖｏｕｔ＝Ｒｂ×α×Ｖｉｎ／（２Ｒａ＋Ｒｂ＋２Ｒ）
＋（Ｒａ＋Ｒ）×Ｖｉｎ／（２Ｒａ＋Ｒｂ＋２Ｒ）
上記式のＲｂ×α／（２Ｒａ＋Ｒｂ＋２Ｒ）が調整精度、（Ｒａ＋Ｒ）×Ｖｉｎ／（２Ｒａ＋Ｒｂ＋２Ｒ）がオフセットに相当する。すなわち、Ｒａ、Ｒｂ、Ｒの適切に設定することにより、出力電圧Ｖｏｕｔの調整精度とオフセットを任意に設定することができる。出力設定部の効果を示すために、図１に示す電圧調整回路５００（出力設定部なし）と図２に示す電圧調整回路６００（出力設定部あり）のトリミングによるＶｏｕｔの変化のイメージを図３、図４に示す。図３は電圧調整回路５００（出力設定部なし）における、トリミングによる出力電圧Ｖｏｕｔの変化の例を示す図である。電圧調整回路５００では、傾きとオフセットは固定値であり、自由に設定することはできない。図４は電圧調整回路５００（出力設定部あり）における、トリミングによる出力電圧Ｖｏｕｔの変化の例を示す図である。傾きとオフセットはＲａ、Ｒｂ、Ｒを変えることにより、自由に設定することができる。例えば、傾きを小さくすれば、１ステップあたり出力電圧Ｖｏｕｔの変化量を小さくでき、出力電圧Ｖｏｕｔの調整精度を上げることができる。また、オフセットを変化させれば、出力電圧Ｖｏｕｔの調整範囲を変えることができる。
【００３４】
尚、電圧調整回路６００において、抵抗値Ｒの抵抗と、抵抗値２Ｒの抵抗を組み合わせることにより、容易に電圧調整ステップを増やすことができること及び電圧調整ステップ数が増えても図８に示した従来例のように、比較的低い抵抗値から比較的高い抵抗値まで幅広い抵抗値を使用する必要がなく、例えば、Ｒ＝２０キロオームを選定すれば、トリミング用素子の抵抗値が仮に２００オームであったとしても、誤差は１％であり、トリミング用素子の抵抗値が出力電圧Ｖｏｕｔの電圧調整精度に与える影響が従来例よりも小さくなることは、実施例１に示した電圧調整回路５００の場合と同様である。
【００３５】
以上のように、実施例２によれば、電圧調整ステップ数が増えても電圧調整精度を悪化させない電圧調整回路を提供することできる。また、出力電圧Ｖｏｕｔの傾きとオフセットを任意に設定することができるため、電圧調整回路の調整精度をさらに上げることができる。
【００３６】
〈実施例３〉
図５は本発明の実施例３の電圧調整回路７００の回路構成例を示す図である。同図中、図２と同一部品については、同一符号を付し、その説明は省略する。
【００３７】
図２に示す電圧調整回路６００と異なる部分は、抵抗Ｒ８０、Ｒ８１、Ｒ８２、Ｒ９０、Ｒ９１、Ｒ５０（１）乃至Ｒ５０（Ｎ―１）に直列にトリミング用素子Ｆ８０、Ｆ８１、Ｆ８２、Ｆ９０、Ｆ９１、Ｆ５０（１）乃至Ｆ５０（Ｎ―１）が挿入されたことである。電圧調整回路７００では、電圧調整回路６００において、各直列体を構成していたトリミング用素子に、電圧調整回路７００において、新たに挿入されたトリミング用素子を加えた全てのトリミング用素子の抵抗値は、各トリミング用素子と直列に接続されている抵抗の抵抗値との比率が全て同一になるように設定されている。すなわち、
Ｒ８０（Ｒｂ）：Ｆ８０＝Ｒ８１（Ｒｂ）：Ｆ８１＝Ｒ８２（Ｒａ）：Ｆ８２＝
Ｒ９０（４Ｒ）：Ｆ９０＝Ｒ９１（４Ｒ）：Ｆ９１＝ＲＸＮ（２Ｒ）：ＦＸＮ＝
ＲＹＮ（２Ｒ）：ＦＹＮ＝Ｒ５０（Ｎ−１）：Ｆ５０（Ｎ−１）
但し、Ｎは２以上の整数
となるように各トリミング用素子の抵抗値が設定されている。
【００３８】
実施例２に示したように、電圧調整回路６００の出力Ｖｏｕｔはα＝（１／２Ｎ＋１＋ｂＮ／２Ｎ＋ｂＮ−１／２Ｎ−１・・・＋ｂ２／２２＋ｂ１／２１）とすると、下記の式で表すことができる。
【００３９】
Ｖｏｕｔ＝Ｒｂ×α×Ｖｉｎ／（２Ｒａ＋Ｒｂ＋２Ｒ）
＋（Ｒａ＋Ｒ）×Ｖｉｎ／（２Ｒａ＋Ｒｂ＋２Ｒ）
ところが、この式は、各トリミング用素子の抵抗値（数百オーム）を無視して計算されている。実施例２で述べたように、例えば、Ｒ＝２０キロオームを選定すれば、トリミング用素子の抵抗値が仮に２００オームであったとしても、誤差は１％であり、出力電圧に与える影響は従来例よりも小さくなる。従って、各トリミング用素子の抵抗値を無視した上記計算でも十分な調整精度は確保できるが、さらに調整精度が必要な場合には、電圧調整回路７００のような構成にすることにより、より精度を上げることができる。すなわち、電圧調整回路７００では、全てのトリミング用素子の抵抗値は、各トリミング用素子と直列に接続されている抵抗の抵抗値との比率が全て同一になるように設定されているので、計算上は、トリミング素子が存在することによる誤差は全く生じない。
【００４０】
以上のように、実施例３によれば、実施例２で示した、電圧調整ステップ数が増えても電圧調整精度を悪化させない電圧調整回路の電圧調整精度をさらに上げることができる。
【００４１】
〈実施例４〉
実施例４では、実施例１乃至３に示した電圧調整回路を備えた定電圧生成回路の例について述べる。図６は本発明の電圧調整回路を備えた定電圧生成回路の回路構成例を示す図である。図６に示す定電圧生成回路は演算増幅器５０，基準電圧（Ｖｒｅｆｉ）６１、電圧調整回路２００から構成される。基準電圧（Ｖｒｅｆｉ）６１は演算増幅器５０の非反転入力端子に接続され、電圧調整回路２００のＶｏｕｔは演算増幅器５０の反転入力端子に接続されている。また、演算増幅器５０の出力端子（Ｖｒｅｆｏ）は、電圧調整回路２００のＶｉｎ１に接続されており、電圧調整回路２００のＶｉｎ２端子はＧＮＤに接続されている。電圧調整回路２００は実施例１に示した電圧調整回路５００において、Ｎ＝４とした場合の回路である。電圧調整回路２００の構成は、実施例１に示した電圧調整回路５００の構成と同様であるため、その説明は省略する。
【００４２】
電圧調整回路２００の出力Ｖｏｕｔは下記の式で表される。
【００４３】
Ｖｏｕｔ＝（１／３２＋ｂ４／２４＋ｂ３／２３＋ｂ２／２２＋ｂ１／２１）×Ｖｉｎ    
尚、ｂ１乃至ｂ４は０又は１のいずれかの値を表しており、直列体Ｙ（Ｎ）中のトリミング用素子ＦＹＮが切断された場合に「１」、直列体Ｘ（Ｎ）中のトリミング用素子ＦｘＮが切断された場合に「０」である。また、β＝（１／３２＋ｂ４／１６＋ｂ３／８＋ｂ２／４＋ｂ１／２）とおき、Ｖｏｕｔ＝Ｖｒｅｆｉ、Ｖｉｎ＝Ｖｒｅｆｏを考慮すれば、下記の式が成立する。
【００４４】
Ｖｒｅｆｏ＝Ｖｒｅｆｉ／β
図７は電圧調整回路２００中の任意のトリミング用素子を切断した場合のβの値を示す図である。βはｂ１乃至ｂ４の値（０又は１のいずれか）によって、図７に示すように、１６段階の値をとる。すなわち、トリミング用素子の切断により、ｂ１乃至ｂ４の値（０又は１のいずれか）を適切に設定すれば、Ｖｒｅｆｏは１６段階の調整ステップで所望の値に調整することができる。
【００４５】
次に、Ｖｒｅｆｏの調整方法について、簡単に説明する。ここでは、例として、Ｖｒｅｆｏ（調整後）＝２．００ｖにトリミングする場合を考える。実施例１で述べたように、トリミング開始前（初期という）はＶｒｅｆｉ＝Ｖｏｕｔ＝Ｖｉｎ／２＝Ｖｒｅｆｏ（初期）／２の式が成立するので、Ｖｒｅｆｏ（初期）を測定することにより、Ｖｒｅｆｉの値を求めることができる。Ｖｒｅｆｉは基準電圧であり、既知の値であるが、実際にはばらつきを持っているので、最初にＶｒｅｆｏ（初期）の測定値からＶｒｅｆｉの実際の値を求めておく。例えば、Ｖｒｅｆｏ（初期）＝３．３８ｖが測定されたとすると、Ｖｒｅｆｉ＝Ｖｒｅｆｏ（初期）／２＝１．１９ｖと求まる。ここで、β＝Ｖｒｅｆ１／Ｖｒｅｆｏ（調整後）であるから、β＝Ｖｒｅｆ１／Ｖｒｅｆｏ（調整後）＝１．１９／２．００＝０．５９５となる。図７より、β＝０．５９５にもっとも近い値は、Ｎｏ．１０の０．５９４であるから、Ｎｏ．１０の組み合わせ、すなわち、ｂ１＝ｂ４＝１、ｂ２＝ｂ３＝０とすればＶｒｅｆｏ（調整後）は所望の値（２．００ｖ）に調整できる。これは、トリミング部１００（１）中の直列体Ｙ（１）を構成するトリミング用素子ＦＹ１、トリミング部１００（４）中の直列体Ｙ（４）を構成するトリミング用素子ＦＹ４、トリミング部１００（２）中の直列体Ｘ（２）を構成するトリミング用素子ＦＸ２、トリミング部１００（３）中の直列体Ｘ（３）を構成するトリミング用素子ＦＸ３を切断することに相当する。このように、電圧調整回路２００中のトリミング部中の直列体を構成するトリミング用素子を適切に切断することによって、所望の定電圧（Ｖｒｅｆｏ）を生成することができる。
【００４６】
以上のように、本発明の電圧調整回路を備えることにより、調整精度のよい定電圧生成回路を提供することができる。
【００４７】
以上、本発明の好ましい実施例について詳説したが、本発明は、上述した実施例に制限されることはなく、本発明の範囲を逸脱することなく、上述した実施例に種々の変形及び置換を加えることができる。
【００４８】
例えば、本実施例では、本発明の電圧調整回路の第２の基準電圧供給ライン４０をＧＮＤに接続する例を示したが、第１の基準電圧供給ライン３０に供給される第１の基準電圧よりも低い第２の基準電圧が供給される基準電圧供給ラインであれば、ＧＮＤ以外に接続してもかまわない。
【００４９】
また、実施例２、３では出力調整部を、抵抗値Ｒａ、Ｒｂの抵抗で構成したが、Ｒａの抵抗値はゼロであってもかまわない。
【００５０】
また、実施例４では、電圧調整回路として、実施例１に示した電圧調整回路５００においてＮ＝４とした場合の回路を用いたが、Ｎは４以外の値にしてもよい。また、電圧調整回路として、実施例２に示した電圧調整回路６００や実施例３に示した電圧調整回路７００を用いてもよい。
【００５１】
また、実施例４では、本発明の電圧調整回路を備えた定電圧生成回路の例を示したが、本発明の電圧調整回路は定電圧生成回路以外の回路、例えば、電圧検出回路などにも同様に適用できる。
【図面の簡単な説明】
【００５２】
【図１】本発明の実施例１の電圧調整回路５００の回路構成例を示す図である。
【図２】本発明の実施例２の電圧調整回路６００の回路構成例を示す図である。
【図３】電圧調整回路５００（出力設定部なし）において、トリミングによる出力電圧Ｖｏｕｔの変化の例を示す図である。
【図４】電圧調整回路６００（出力設定部あり）において、トリミングによる出力電圧Ｖｏｕｔの変化の例を示す図である。
【図５】本発明の実施例３の電圧調整回路７００の回路構成例を示す図である。
【図６】本発明の電圧調整回路を備えた定電圧生成回路の回路構成例を示す図である。
【図７】電圧調整回路２００中の任意のトリミング用素子を切断した場合のβの値を示す図である。
【図８】抵抗とトリミングヒューズとから構成される電圧調整回路を備えた従来の定電圧生成回路の回路構成例を示す図である。
【図９】図８の定電圧生成回路に使用可能な、従来の電圧調整回路の他の回路構成例を示す図である。
【符号の説明】
【００５３】
１０（１）〜１０（Ｎ）  直列体Ｘ（１）〜直列体Ｘ（Ｎ）
２０（１）〜２０（Ｎ）  直列体Ｙ（１）〜直列体Ｙ（Ｎ）
３０  第１の基準電圧供給ライン
４０  第２の基準電圧供給ライン
５０  演算増幅器
６０  基準電圧（Ｖｉｎ）
６１  基準電圧（Ｖｒｅｆｉ）
７０  ＧＮＤ
８０  出力設定部
１００（１）〜１００（Ｎ）  トリミング部
２００  電圧調整回路
４００  電圧調整回路
４０１  電圧調整回路
５００  電圧調整回路
６００  電圧調整回路
７００  電圧調整回路
Ｒ１〜Ｒ７、Ｒ５０（１）〜Ｒ５０（Ｎ−１）、Ｒ８０〜Ｒ８２、Ｒ９０、Ｒ９１、Ｒｘ１〜ＲｘＮ、ＲＹ１〜ＲＹＮ、  抵抗
Ｆ１〜Ｆ５、Ｆ５０（１）〜Ｆ５０（Ｎ−１）、Ｆ８０〜Ｆ８２、Ｆ９０、Ｆ９１、Ｆｘ１〜ＦｘＮ、ＦＹ１〜ＦＹＮ、  トリミング用素子
Ｖｉｎ１  電圧調整回路の第１の基準電圧入力端子
Ｖｉｎ２  電圧調整回路の第２の基準電圧入力端子
Ｖｏｕｔ  電圧調整回路の出力端子
Ｖｒｅｆ１  定電圧生成回路の基準電圧
Ｖｒｅｆ２  定電圧生成回路の出力電圧
ＧＮＤ  接地
【図１】
2009004564.tif 000003
【図２】
2009004564.tif 000004
【図３】
2009004564.tif 000005
【図４】
2009004564.tif 000006
【図５】
2009004564.tif 000007
【図６】
2009004564.tif 000008
【図７】
2009004564.tif 000009
【図８】
2009004564.tif 000010
【図９】
2009004564.tif 000011